(57)【要約】【課題】事業企画者を取り巻くプレイヤ候補という入手が容易な情報からビジネスモデルを体系的に検索することを可能として、ビジネスモデル設計の支援を行う。【解決手段】ビジネスパターンのプレイヤタイプ名とタイプ毎のプレイヤ要件とを予め記録したビジネスパターンＤＢ１１１と、プレイヤ候補名とその事業体特性値とを予め記憶したプレイヤリストＤＢ１１２とを用い、各プレイヤ候補の事業体特性値から任意のビジネスパターンの各プレイヤ要件への要件適合度を算出する。その要件適合度に基づいてビジネスパターン毎にプレイヤ候補名を選択することにより、まず、新しいビジネスモデルに適したプレイヤ候補を体系的に検索し選択する。さらに、ビジネスパターン毎に適合度集計値を算出し、その適合度集計値に基づいてビジネスパターンの適合順位を算出する。【選択図】図１
2008276653.tif 000002
【特許請求の範囲】
【請求項１】
ビジネスを構成するプレイヤ候補の要件から、ビジネスパターンの適合度を提示するビジネスモデル設計支援システムにおいて、
情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段とが構築され、
前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、そのビジネスパターンに対応するプレイヤ候補名とその事業体特性値との入力を受け、あるいは、前記プレイヤリストＤＢから評価を希望するビジネスパターンに対応するプレイヤ候補名とその事業体特性値とを読み込み、前記プレイヤ要件適合度算出手段は、前記プレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、プレイヤタイプ適合度のプレイヤ候補を選定して提示することを特徴とするビジネスモデル設計支援システム。
【請求項２】
ビジネスを構成するプレイヤ候補の要件から、ビジネスパターンの適合度を提示するビジネスモデル設計支援システムにおいて、
情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段と、ビジネスパターン適合度集計手段と、ビジネスパターン適合順位算出手段とが構築され、
前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、前記プレイヤリストＤＢから評価を希望するビジネスパターンに対応する複数のプレイヤ候補名とその事業体特性値とを読み込み、前記プレイヤ要件適合度算出手段は、前記複数のプレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、前記ビジネスパターン適合度集計手段は、ビジネスパターン毎にプレイヤ要件の適合度とプレイヤタイプ適合度との集計値を算出し、前記ビジネスパターン適合順位算出手段は、前記集計値として得られた適合度を大きい順に並べて提示することを特徴とするビジネスモデル設計支援システム。
【請求項３】
前記ビジネスパターンＤＢは、複数のビジネスパターン項目を有し、該ビジネスパターン項目毎に、少なくとも１つ以上のプレイヤタイプ名と、該プレイヤタイプ毎に少なくとも１つ以上のプレイヤ要件とを有することを特徴とする請求項１または２記載のビジネスモデル設計支援システム。
【請求項４】
ビジネスを構成するプレイヤ候補の要件から、ビジネスパターンの適合度を提示するビジネスモデル設計支援方法、
情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段とが構築され、
前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、そのビジネスパターンに対応するプレイヤ候補名とその事業体特性値との入力を受け、あるいは、前記プレイヤリストＤＢから評価を希望するビジネスパターンに対応するプレイヤ候補名とその事業体特性値とを読み込み、前記プレイヤ要件適合度算出手段は、前記プレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、プレイヤタイプ適合度のプレイヤ候補を選定して提示することを特徴とするビジネスモデル設計支援方法。
【請求項５】
ビジネスを構成するプレイヤ候補の要件から、ビジネスパターンの適合度を提示するビジネスモデル設計支援方法において、
情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段と、ビジネスパターン適合度集計手段と、ビジネスパターン適合順位算出手段とが構築され、
前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、前記プレイヤリストＤＢから評価を希望するビジネスパターンに対応する複数のプレイヤ候補名とその事業体特性値とを読み込み、前記プレイヤ要件適合度算出手段は、前記複数のプレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、前記ビジネスパターン適合度集計手段は、ビジネスパターン毎にプレイヤ要件の適合度とプレイヤタイプ適合度との集計値を算出し、前記ビジネスパターン適合順位算出手段は、前記集計値として得られた適合度を大きい順に並べて提示することを特徴とするビジネスモデル設計支援方法。
【請求項６】
前記ビジネスパターンＤＢは、複数のビジネスパターン項目を有し、該ビジネスパターン項目毎に、少なくとも１つ以上のプレイヤタイプ名と、該プレイヤタイプ毎に少なくとも１つ以上のプレイヤ要件とを有することを特徴とする請求項４または５記載のビジネスモデル設計支援方法。
【発明の詳細な説明】
【技術分野】
【０００１】
本発明は、ビジネスモデル設計支援システム及び設計支援方法に係り、特に、事業企画者がビジネスモデルを設計する際に、事業企画者が想定している事業に適したビジネスモデルの設計を支援するビジネスモデル設計支援システム及び設計支援方法に関する。
【背景技術】
【０００２】
事業企画者がビジネスモデルを設計・評価する方法に関する従来技術として、例えば、特許文献１等に記載された技術が知られている。この従来技術は、新規事業を模索している事業者の問題点を明確にし、この問題点と、所属する業種及び密接に関連を有する業種の情報とから検索条件を決定し、その検索条件に基づいて事業者のデータベースからビジネスモデルを体系的に検索し選択するというものである。
【特許文献１】特開２００２−３５８４０７号公報
【発明の開示】
【発明が解決しようとする課題】
【０００３】
しかし、前述した従来技術は、ビジネスモデルを体系的に検索して選択するというものであるが、具体的な検索方法、選択方法を明確に示しておらず、実際に事業企画者がビジネスモデルを体系的に検索し、評価して、希望するビジネスモデルの設計に利用することが困難であるという問題点を有している。
【０００４】
本発明の目的は、前述した従来技術の問題点を解決し、事業企画者を取り巻くプレイヤ候補という入手が容易な情報からビジネスモデルを体系的に検索することを可能として、ビジネスモデル設計の煩雑さを解消することができるビジネスモデル設計支援システム及び設計支援方法を提供することにある。
【課題を解決するための手段】
【０００５】
本発明によれば前記目的は、ビジネスを構成するプレイヤ候補の要件から、ビジネスパターンの適合度を提示するビジネスモデル設計支援システムにおいて、情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段とが構築され、前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、そのビジネスパターンに対応するプレイヤ候補名とその事業体特性値との入力を受け、あるいは、前記プレイヤリストＤＢから評価を希望するビジネスパターンに対応するプレイヤ候補名とその事業体特性値とを読み込み、前記プレイヤ要件適合度算出手段は、前記プレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、プレイヤタイプ適合度のプレイヤ候補を選定して提示することにより達成される。
【０００６】
また、前記目的は、ビジネスを構成するプレイヤ候補の要件から、ビジネスパターンの適合度を提示するビジネスモデル設計支援システムにおいて、情報処理装置内に、ビジネスパターンのプレイヤタイプ名と該タイプ毎のプレイヤ要件を予め記録したビジネスパターンＤＢと、プレイヤ候補名とその事業体特性値とを予め格納したプレイヤリストＤＢと、ビジネスパターン読み込み手段と、プレイヤ候補読み込み手段と、プレイヤ要件適合度算出手段と、プレイヤ候補選定手段と、ビジネスパターン適合度集計手段と、ビジネスパターン適合順位算出手段とが構築され、前記ビジネスパターン読み込み手段は、前記ビジネスパターンＤＢからビジネスパターンを読み込んで提示し、前記プレイヤ候補読み込み手段は、評価を希望するビジネスパターンの選択入力を受け付けると共に、前記プレイヤリストＤＢから評価を希望するビジネスパターンに対応する複数のプレイヤ候補名とその事業体特性値とを読み込み、前記プレイヤ要件適合度算出手段は、前記複数のプレイヤ候補に対するプレイヤ要件の適合度を所定の演算式に従って算出し、前記プレイヤ候補選定手段は、前記プレイヤ要件の適合度からプレイヤタイプ適合度を所定の演算式に従って算出し、前記ビジネスパターン適合度集計手段は、ビジネスパターン毎にプレイヤ要件の適合度とプレイヤタイプ適合度との集計値を算出し、前記ビジネスパターン適合順位算出手段は、前記集計値として得られた適合度を大きい順に並べて提示することにより達成される。
【発明の効果】
【０００７】
本発明によれば、事業企画者を取り巻くプレイヤ候補という入手が容易な情報からビジネスモデルを体系的に検索することを可能として、ビジネスモデル設計の煩雑さを解消することができる。
【発明を実施するための最良の形態】
【０００８】
以下、ビジネスモデル設計支援システム及び設計支援方法の実施形態を図面により詳細に説明する。
【０００９】
図１はビジネスモデル設計支援システムの構成を示すブロック図である。
【００１０】
図１に示すシステムは、情報処理装置の中に構築されるものであり、事業企画者からのビジネスパターン名の選択等の入力情報を読み込むキーボード、マウス等の入力部１０１と、各種ＤＢ、プログラム等を記憶するディスク装置等による記憶装置１０２と、記憶装置１０２から読み込んだプログラムを処理するプロセッサ（ＣＰＵ）１０３と、記憶装置１０２から一時的に読込まれるデータやプロセッサ１０３での計算中のデータを一時的に記憶する主記憶装置としての一時記憶装置１０４と、プロセッサ１０３で算出した結果を出力する表示装置、プリンタ等による出力装置１０５とを備えて構成される。
【００１１】
記憶装置１０２には、ビジネスパターンのプレイヤタイプ名、タイプ毎のプレイヤ要件を予め記録したビジネスパターンＤＢ１１１と、プレイヤ候補名、その事業体特性値を予め記憶したプレイヤリストＤＢ１１２との２つのデータベースが予め記憶されている。また、本発明により設けられ、それぞれがプログラムにより構成される複数の機能処理部１２１〜１２７が格納されており、プロセッサ１０３に読み込まれて実行される。これらの機能処理部１２１〜１２７は、ビジネスパターン読み込み部１２１、プレイヤ候補読み込み部１２２、プレイヤ要件適合度算出部１２３、プレイヤ候補選定部１２４、ビジネスパターン適合度集計部１２５、ビジネスパターン適合順位算出部１２６、ビジネスパターン提示部１２７であり、それらの詳細については後述する。
【００１２】
図２はビジネスパターンＤＢ１１１の構成を示す図である。ビジネスパターンＤＢ１１１には、種々のビジネスモデルとなるビジネスパターンが予め格納されている。このビジネスパターンＤＢ１１１は、図２に示すように、少なくとも、ビジネスパターンの名称を記録した複数のビジネスパターン名２０１と、各ビジネスパターンを構成するプレイヤタイプの名称を記憶したプレイヤタイプ名２０２と、各プレイヤタイプのプレイヤ要件を記憶したプレイヤ要件２０３とから構成される。さらに、ビジネスパターンＤＢ１１１には、各ビジネスパターンを図示する画像を記憶したプレイヤ相関図２０４を格納しておいてもよい。
【００１３】
ビジネスパターンＤＢ１１１には、２つ以上のビジネスパターン名２０１のデータが格納されており、ビジネスパターン名２０１の各データに対応して少なくとも１つ以上のプレイヤタイプ名２０２のデータが格納されている。さらに、プレイヤタイプ名２０２の各データに対応して少なくとも１つ以上のプレイヤ要件２０３のデータが記憶されている。
【００１４】
図２に示す例において、ビジネスモデルとしてのビジネスパターンの１つである仲介型パターンは、このビジネスモデルを実施するために必要なプレイヤとして、例えば、商品等を売ろうとしている企業等の売り手タイプと、その商品を購入しようとする企業、人等の買い手タイプとが必要であり、商品の売買を仲介するサプライヤが存在するビジネスであることを示している。
【００１５】
プレイヤリストＤＢ１１２には、図示しないがプレイヤ候補名と、図示していないが公開されているプレイヤの情報である製造業、小売業等の業種とが対応させられたプレイヤの事業体特性値とが予め格納されている。
【００１６】
次に、第１の実施形態での処理動作を図１を参照して説明するが、この第１の実施形態は、事業企画者から希望するビジネスパターンが選択入力された場合に、プレイヤ候補名とその事業体特性値の情報を用いて、選択入力されたビジネスパターンに対する適合度を算出し、ビジネスパターンに適合したプレイヤ候補を選定し、適合度とプレイヤ候補名を提示するものである。このよう処理により、新しいビジネスモデルを検討をしている事業企画者に対して、そのビジネスモデルに適したプレイヤ候補を体系的に提示することが可能となる。
【００１７】
事業を企画しようとする利用者が、ビジネスモデルの設計の支援を受けるために、図１に示すシステムを用いて処理を開始させると、プロセッサ１０３は、まず、記憶装置１０５からビジネスパターン読み込み部１２１、プレイヤ候補読み込み部１２２、プレイヤ要件適合度算出部１２３、プレイヤ候補選定部１２４、ビジネスパターン提示部１２７のそれぞれを構成する各プログラムを一時記憶装置１０４に読み込んで、各プログラムを実行する。
【００１８】
ビジネスパターン読み込み部１２１は、まず、ビジネスパターンＤＢ１１１に記録されたビジネスパターン名２０１を読み込んで、出力装置１０５に提示する。ここで提示されるのは、図２に示したビジネスパターン名２０１だけの一覧であっても、図２に示したものと同様な全ての情報であってもよい。さらに、入力装置１０１から事業企画者である利用者が提示された情報から評価を希望するビジネスパターン名の選択入力を行ったか否かを判定し、選択入力があった場合、そのビジネスパターン名を読み込み、一時記憶装置１０４に記憶して、処理をプレイヤ候補読み込み部１２２に移行させる。
【００１９】
プレイヤ候補読み込み部１２２は、入力装置１０１から事業企画者が評価を希望するビジネスパターンに対応するプレイヤ候補名とその事業体特性値との入力が行われたか否かを判定し、入力があった場合、そのプレイヤ候補名とその事業体特性値とを読み込んで一時記憶装置１０４に記憶する。ここで、事業企画者が入力装置１０１から入力終了命令の入力を行ったか否かを判定し、入力終了命令の入力があったことを判定するまで、プレイヤ候補名とその事業体特性値との入力を受け付けて、一時記憶装置１０４へ読み込む処理を繰り返す。この処理に代って、予めプレイヤリストＤＢ１１２に記憶されているプレイヤ候補名とその事業体特性値とをプレイヤリストＤＢ１１２から読み込んで一時記憶装置１０４に記憶するようにしてもよい。これにより、複数のプレイヤ候補名が読み込まれる。入力終了命令の入力があったことを判定すると、処理をプレイヤ要件適合度算出部１２３に移行させる。
【００２０】
プレイヤ要件適合度算出部１２３は、ビジネスパターンＤＢ１１１からビジネスパターン読み込み部１２１が読み込んだビジネスパターン名に対応したプレイヤタイプ名２０２の全てをビジネスパターンＤＢ１１１から読み込んで一時記憶装置１０４に記憶すると共に、ビジネスパターンＤＢ１１１から読み込んだプレイヤタイプ毎に対応したプレイヤ要件２０３の全てを読み込んで一時記憶装置１０４に記憶する。また、プレイヤ要件適合度算出部１２３は、プレイヤ候補読み込み部１２２が読み込んだプレイヤ候補に対して、全てのプレイヤ要件への適合度を判定する。
【００２１】
図３はプレイヤ要件の適合度の判定方法の例を説明する図である。図３に示す例は、プレイヤ要件適合度算出部１２３が、要件適合度欄が空欄の図３に示すようなチェックシートを出力装置１０５に提示し、そのチェックシートに対して事業企画者が入力した要件適合度を読み込むことにより適合度を判定する方法である。図３に示すチェックシート３０１の例は、プレイヤ候補のそれぞれに対して、そのプレイヤのビジネスパターン名、プレイヤタイプ名、プレイヤ要件であるタイプ要件を対応させ、それぞれのレコードに要件適合度欄を設けて構成される。事業企画者に、この提示されたチェックシート３０１の要件適合度欄に、各プレイヤ要件に適合している項目には○を、適合していない項目には×を選択入力させる。プレイヤ要件適合度算出部１２３は、入力された要件適合度欄に入力された情報により、例えば、○が入力された場合、要件適合度を１００％とし、×が入力された場合、要件適合度を０％とする等として適合度を判定する。
【００２２】
図４はプレイヤ要件の適合度の判定方法の他の例を説明する図である。図４に示す例は、変換ロジック４０１により、プレイヤ候補読み込み部１２２が読み込んだプレイヤ候補毎の事業体特性値４１１を用いて、対応するプレイヤ要件４１２に対する要件適合度４１３を算出する方法である。変換ロジック４０１としては、ビジネスパターンＤＢ１１１に記憶されているプレイヤ要件毎に、プレイヤリストＤＢ１１２に記憶されている事業特性値を説明変数として要件適合度４１３を算出した算出値を予め記憶したテーブルであってよい。例えば、「商品の提供あり」というプレイヤ要件に対しては、業種分類、企業規模、従業員数、取引先等の事業特性値を説明変数として、例えば、「小売業」であれば適合度１００％、「製造業」であれば９０％、「サービス業」であれば５０％を設定しておく等である。
【００２３】
また、変換ロジック４０１としては、業種分類ＣＶ1や企業規模ＣＶ2や従業員数ＣＶ3 や取引先ＣＶ4 等の各種事業特性値である説明変数を組合わせて、式（１）に示すように、タイプ要件ＴＲｉ毎に要件適合度ＲＡｉを算出する算出式を予め記憶しておくことであってもよい。
【数１】
2008276653.tif 000003
【００２４】
前述の方法により、全プレイヤ候補ｊ毎に全プレイヤタイプＰＴｋ毎に各タイプ要件ＴＲｉへの要件適合度ＲＡｉｊｋを算出し一時記憶装置１０４に記憶した後に、処理をプレイヤ候補選定部１２４に移行させる。
【００２５】
プレイヤ候補選定部１２４は、プレイヤ要件適合度算出部１２３の処理で算出された各プレイヤ候補Ｐｊの要件適合度ＲＡｉｊｋを基に、プレイヤタイプＰＴｋ毎のタイプ適合度ＴＡｉｋを算出する。ここでのタイプ適合度ＴＡｉｋの算出式は、式（２）に示すように、プレイヤタイプＰＴｋ毎の要件適合度ＲＡｉｊｋの加重平均とする。
【数２】
2008276653.tif 000004
【００２６】
その後、プレイヤ候補選定部１２４は、プレイヤタイプＰＴｋ毎に、プレイヤ候補Ｐｊのタイプ適合度ＴＡｊｋを比較し、タイプ適合度が高いプレイヤを、各プレイヤタイプＰＴｋのプレイヤ候補Ｐｋに選定し、その後、ビジネスパターン提示部１２７に処理を移行させて、その結果を提示させる。
【００２７】
図５はプレイヤ候補選定部１２４が選定したプレイヤ候補選定結果の例を示す図である。プレイヤ候補選定結果は、図５に示すように、選択入力されたビジネスパターン名と、そのパターンに対応した各プレイヤタイプ名と、各タイプの候補となるプレイヤ候補名と、そのタイプ適合度とである。事業企画者は、この提示された内容からどのプレイヤと組むと、最適なビジネスを行うことができるかを知ることができる。
【００２８】
前述したような第１の実施形態によれば、選択入力されたビジネスパターンに対する適合度を算出し、ビジネスパターンに適合したプレイヤ候補を選定し、適合度とプレイヤ候補名を提示することが可能になり、新しいビジネスモデルの検討をしている事業企画者に対して、そのビジネスモデルに適したプレイヤ候補を体系的に選択して提示することが可能となる。
【００２９】
次に、第２の実施形態での処理動作を図１を参照して説明するが、この第２の実施形態は、第１の実施形態に加えて、タイプ適合度を基に、ビジネスパターン毎に適合度の集計値を算出し、その適合度の集計値に基づいてビジネスパターンの適合順位を算出して提示するものである。これにより、事業企画者は、事業企画者を取り巻くプレイヤ候補に適したビジネスモデル自体を体系的に検索して設計することが可能となる。
【００３０】
事業を企画しようとする利用者が、ビジネスモデルの設計の支援を受けるために、図１に示すシステムを用いて処理を開始させると、プロセッサ１０３は、まず、記憶装置１０５からビジネスパターン読み込み部１２１、プレイヤ候補読み込み部１２２、プレイヤ要件適合度算出部１２３、プレイヤ候補選定部１２４、ビジネスパターン適合度集計部１２５、ビジネスパターン適合順位算出部１２６、ビジネスパターン提示部１２７のそれぞれを構成する各プログラムを一時記憶装置１０４に読み込んで、各プログラムを実行する。
【００３１】
ビジネスパターン読み込み部１２１は、まず、第１の実施形態の場合と同様に、ビジネスパターンＤＢ１１１に記録されたビジネスパターン名２０１を読み込んで、出力装置１０５に提示する。ここで提示されるのは、図２に示したビジネスパターン名２０１だけの一覧であっても、図２に示したものと同様な全ての情報であってもよい。さらに、入力装置１０１から事業企画者である利用者が提示された情報から評価を希望するビジネスパターン名の選択入力を行ったか否かを判定し、選択入力があった場合、そのビジネスパターン名を読み込み、一時記憶装置１０４に記憶する。
【００３２】
その後、選択入力された複数のビジネスパターン名のそれぞれについて、例えば、読込まれた順番ｆに、プレイヤ候補読み込み部１２２、プレイヤ要件適合度算出部１２３、プレイヤ候補選定部１２４での各処理を、第１の実施形態の場合と同様に実施し、ビジネスパターン適合度集計部１２５の処理に移行する。
【００３３】
ビジネスパターン適合度集計部１２５は、プレイヤ候補選定部１２４の処理で算出されたタイプ適合度を集計して、順番ｆのビジネスパターンＢＰｆに対するパターン適合度ＰＡｆを算出する。ここでは、パターン適合度ＰＡｆの算出式として、式（３）に示すような、各プレイヤタイプＰＴｋのタイプ適合度ＴＡｆｋの加重平均とする。
【数３】
2008276653.tif 000005
【００３４】
ビジネスパターン適合度集計部１２５は、式（３）により算出したパターン適合度ＰＡｆを一時記憶装置１０４に記憶する。ここでの処理は、ビジネスパターン読み込み部１２１の処理で選択入力されたビジネスパターン名の全てについてパターン適合度ＰＡの算出を行うことができるまで、対象のビジネスパターンＢＰを順番に変えながら、プレイヤ候補読み込み部１２２、プレイヤ要件適合度算出部１２３、プレイヤ候補選定部１２４、ビジネスパターン適合度集計部１２５での処理を繰り返す処理である。そして、ビジネスパターンの全てに対してタイプ適合度ＴＡを算出したと判定した場合に、ビジネスパターン適合順位算出部１２６の処理に移行する。
【００３５】
ビジネスパターン適合順位算出部１２６は、ビジネスパターンＰＴｉの全てに対して算出されたパターン適合度ＴＡｉの大きさを比較し、パターン適合度ＴＡｉの大きい順番に並べ変えてその順位を各ビジネスパターンＰＴｉに付与し、一時記憶装置１０４に記憶して、処理をビジネスパターン提示部１２７に移行させる。
【００３６】
ビジネスパターン提示部１２７は、ビジネスパターン適合順位算出部１２６での処理結果を出力装置１０５に出力する。
【００３７】
図６はビジネスパターン適合順位算出部１２６で算出されたパターン適合順位の結果を示す図である。図６に示すように、パターン適合順位の結果は、パターン適合度の高い順序でビジネスパターン名と、そのパターンに対応した各プレイヤタイプ名と、各タイプの候補となるプレイヤ候補名と、そのタイプの適合度とであり、出力装置１０５に提示される。
【００３８】
前述したような第２の実施形態によれば、選択入力された複数のビジネスパターンに対する適合度を集計し、その適合度の集計値に基づいてビジネスパターンの適合順位を提示することが可能になり、事業企画者を取り巻くプレイヤ候補に適したビジネスモデル自体を体系的に検索して提示することが可能となる。
【００３９】
また、第２の実施形態によれば、ビジネスパターンのプレイヤタイプ名とタイプ毎のプレイヤ要件を予め記録したビジネスパターンＤＢとプレイヤ候補名とその事業体特性値を予め記憶したプレイヤリストＤＢとを用い、各プレイヤ候補の事業体特性値から任意のビジネスパターンの各プレイヤ要件への適合度を算出し、算出した適合度に基づいてビジネスパターン毎にプレイヤ候補名を選択し、さらに、ビジネスパターン毎に適合度集計値を算出し、その適合度集計値に基づいてビジネスパターンの適合順位を算出することができるので、事業企画者を取り巻くプレイヤ候補という入手が容易な情報からビジネスモデルを体系的に検索することが可能となり、ビジネスモデル設計の煩雑さを解消することができる。また、プレイヤ候補という視点から複数のビジネスパターンを比較することが可能となり、ビジネスモデル検討の範囲を広げることができる。
【産業上の利用可能性】
【００４０】
本発明は、例えば、企業間連携を目的としたネットワークコミュニティ等において、コミュニティ参加企業間の新規事業立上げを支援するシステム等での利用が可能である。
【図面の簡単な説明】
【００４１】
【図１】ビジネスモデル設計支援システムの構成を示すブロック図。
【図２】ビジネスパターンＤＢの構成を示す図。
【図３】プレイヤ要件の適合度の判定方法の例を説明する図。
【図４】プレイヤ要件の適合度の判定方法の他の例を説明する図。
【図５】プレイヤ候補選定部が選定したプレイヤ候補選定結果の例を示す図。
【図６】ビジネスパターン適合順位算出部で算出されたパターン適合順位の結果を示す図。
【符号の説明】
【００４２】
１０１  入力部
１０２  記憶装置
１０３  プロセッサ
１０４  一時記憶装置
１０５  出力装置
１１１  ビジネスパターンＤＢ
１１２  プレイヤリストＤＢ
１２１  ビジネスパターン読み込み部
１２２  プレイヤ候補読み込み部
１２３  プレイヤ要件適合度算出部
１２４  プレイヤ候補選定部
１２５  ビジネスパターン適合度集計部
１２６  ビジネスパターン適合順位算出部
１２７  ビジネスパターン提示部
【図１】
2008276653.tif 000006
【図２】
2008276653.tif 000007
【図３】
2008276653.tif 000008
【図４】
2008276653.tif 000009
【図５】
2008276653.tif 000010
【図６】
2008276653.tif 000011